(57)【要約】【課題】門柱に埋め込まれた既設の郵便受けと簡単に交換することができる郵便受け、この郵便受け付き門柱及びこの郵便受けの交換方法を提案する。【解決手段】本発明の実施形態の郵便受け３は、門柱１の取付孔１０内に第一目地材４を介して設置された既設の郵便受け２に代えて、取付孔１０内に取り付けられる郵便受け３である。本発明の実施形態の郵便受け３は、既設の郵便受け２よりも小さな外形の本体３２を備える。本発明の実施形態の郵便受け３は、取付孔１０内から既設の郵便受け２を取り外す際に取付孔１０内に枠状に残した第一目地材４の内側に、第二目地材５を介して本体３２が取り付けられるものである。【選択図】図１
2016067656.tif 000002
【特許請求の範囲】
【請求項１】
門柱の取付孔内に第一目地材を介して設置された既設の郵便受けに代えて、前記取付孔内に取り付けられる郵便受けであって、
前記既設の郵便受けよりも小さな外形の本体を備え、
前記取付孔内から前記既設の郵便受けを取り外す際に前記取付孔内に枠状に残した前記第一目地材の内側に、第二目地材を介して前記本体が取り付けられるものであることを特徴とする郵便受け。
【請求項２】
前記本体の周囲を覆うように取り付けられる施工枠を更に備え、
枠状に残した前記第一目地材の内側に、前記施工枠と前記第二目地材とを介して前記本体が取り付けられるものであることを特徴とする請求項１に記載の郵便受け。
【請求項３】
取付孔を有する門柱と、
前記取付孔内に位置する枠状の第一目地材とを備え、
前記第一目地材は、前記取付孔内から郵便受けを取り外す際に枠状に残したものであり、
枠状の前記第一目地材の内側には、第二目地材を介して、前記郵便受けよりも小さな他の郵便受けが位置し、
前記他の郵便受けは、枠状に残した前記第一目地材と前記第二目地材を介して、前記取付孔内に取り付けられていることを特徴とする郵便受け付き門柱。
【請求項４】
枠状の前記第一目地材と前記他の郵便受けとの間には、更に施工枠が位置し、
前記他の郵便受けは、枠状に残した前記第一目地材と前記施工枠と前記第二目地材を介して、前記取付孔内に取り付けられていることを特徴とする請求項３に記載の郵便受け付き門柱。
【請求項５】
門柱が有する取付孔内に第一目地材を介して固定されている郵便受けを、前記取付孔から取り外し、
この取り外しの際に、前記取付孔内に前記第一目地材を枠状に残し、
枠状の前記第一目地材の内側に、前記郵便受けよりも小さな他の郵便受けを挿入し、
前記第一目地材と前記他の郵便受けとの間に第二目地材を充填し、
枠状に残した前記第一目地材と前記第二目地材を介して、前記取付孔内に前記他の郵便受けを取り付けることを特徴とする郵便受けの交換方法。
【請求項６】
枠状の前記第一目地材の内側に前記他の郵便受けを挿入する際に、枠状の前記第一目地材と前記他の郵便受けとの間に位置するように施工枠を配し、
枠状に残した前記第一目地材と前記施工枠と前記第二目地材を介して、前記取付孔内に前記他の郵便受けを取り付けることを特徴とする請求項５に記載の郵便受けの交換方法。
【発明の詳細な説明】
【技術分野】
【０００１】
本発明は、郵便受け、郵便受け付き門柱及び郵便受けの交換方法に関し、特に、門柱に埋め込まれた既設の郵便受けを交換する技術に関する。
【背景技術】
【０００２】
門柱に設けた孔に郵便受箱を挿入し、孔と郵便受箱との間をモルタル等の目地材で埋めて、郵便受箱を門柱に取り付けた郵便受箱付き門柱が、特許文献１等によって提案されている。
【０００３】
特許文献１の門柱では、郵便受箱が、硬化したモルタルによって門柱の孔に固定されている。
【先行技術文献】
【特許文献】
【０００４】
【特許文献１】実開昭６３−２２１８０号公報
【発明の概要】
【発明が解決しようとする課題】
【０００５】
ところで、特許文献１の郵便受箱付き門柱では、既設の郵便受箱を新たな郵便受箱に交換する場合、例えば、次のような方法が考えられる。
【０００６】
まず、既設の郵便受箱を門柱の孔から取り外す。次いで、孔の内側に残る硬化したモルタルを取り除く。次いで、孔に新たな郵便受箱を挿入し、孔と郵便受箱との間をモルタル等の目地材で埋める。
【０００７】
しかし、上記の方法では、孔の内側から硬化したモルタルを取り除く際に、門柱の孔の周囲の部分がモルタルと共に剥がれ落ちてしまうおそれがあり、門柱に埋め込まれた郵便受箱の交換は、難しい施工であった。
【０００８】
上記事情を鑑みて、本発明は、門柱に埋め込まれた既設の郵便受けと簡単に交換することができる郵便受け、この郵便受け付き門柱及びこの郵便受けの交換方法を提案することを課題とする。
【課題を解決するための手段】
【０００９】
上記課題を解決するために本発明の郵便受けは、門柱の取付孔内に第一目地材を介して設置された既設の郵便受けに代えて、前記取付孔内に取り付けられる郵便受けであって、前記既設の郵便受けよりも小さな外形の本体を備え、前記取付孔内から前記既設の郵便受けを取り外す際に前記取付孔内に枠状に残した前記第一目地材の内側に、第二目地材を介して前記本体が取り付けられるものであることを特徴とする。
【００１０】
また、上記課題を解決するために本発明の郵便受け付き門柱は、取付孔を有する門柱と、前記取付孔内に位置する枠状の第一目地材とを備え、前記第一目地材は、前記取付孔内から箱状の郵便受けを取り外す際に枠状に残したものであり、枠状の前記第一目地材の内側には、第二目地材を介して、前記郵便受けよりも小さな他の郵便受けが位置し、前記他の郵便受けは、枠状に残した前記第一目地材と前記第二目地材を介して、前記取付孔内に取り付けられていることを特徴とする。
【００１１】
また、上記課題を解決するために本発明の郵便受けの交換方法は、門柱が有する取付孔内に第一目地材を介して固定されている郵便受けを、前記取付孔から取り外し、この取り外しの際に、前記取付孔内に前記第一目地材を枠状に残し、枠状の前記第一目地材の内側に、前記郵便受けよりも小さな他の郵便受けを挿入し、前記第一目地材と前記他の郵便受けとの間に第二目地材を充填し、枠状に残した前記第一目地材と前記第二目地材を介して、前記取付孔内に前記他の郵便受けを取り付けることを特徴とする。
【発明の効果】
【００１２】
本発明は、門柱に埋め込まれた既設の郵便受けと簡単に交換することができる。
【図面の簡単な説明】
【００１３】
【図１】図１Ａ〜Ｄは本発明の第一実施形態の郵便受けの交換方法を示す側断面図である。
【図２】図２Ａは図１Ａの郵便受け付き門柱を示す正面図であり、図２Ｂは図１Ｄの郵便受け付き門柱を示す正面図である。
【図３】図３Ａ〜Ｄは本発明の第二実施形態の郵便受けの交換方法を示す側断面図である。
【図４】図４Ａは同上の交換方法で交換する新たな郵便受けに施工枠が取り付けられた状態を示す斜視図であり、図４Ｂは図４ＡのＥの領域の拡大斜視図であり、図４Ｃは同上の施工枠の長手方向に直交する面における断面図である。
【発明を実施するための形態】
【００１４】
以下、本発明の実施形態について添付図面に基づいて説明する。
【００１５】
図１Ａ〜Ｄには、本発明の一実施形態の郵便受けの交換方法を示している。本実施形態の郵便受けの交換方法は、門柱１に埋め込まれた既設の郵便受け２を他の郵便受け３に交換する方法である。以下では、既設の郵便受け２を第一郵便受け２と記載し、他の郵便受け３を第二郵便受け３と記載する。図２Ａには、第一郵便受け２付きの門柱１が示されており、図２Ｂには、第二郵便受け３付きの門柱１が示されている。
【００１６】
門柱１は、図１Ａ〜Ｄ及び図２Ａ，Ｂに示すように、例えば、縦方向に長く横方向に短い壁体である。以下では、門柱１の厚み方向を前後方向とし、門柱１の横方向を左右方向とし、門柱１の縦方向を上下方向として、各構成について説明する。つまり、図１Ａ〜Ｄの矢印Ｘ１で示す方向が前方であり、その反対方向が後方であり、図１Ａ〜Ｄの矢印Ｚ１で示す方向が上方であり、その反対方向が下方である。図２Ａ，Ｂにおいては、矢印Ｙ１で示す方向が右方向であり、その反対方向が左方向である。
【００１７】
門柱１は、本実施形態では、複数のブロックを上下左右にモルタル等の目地材を介して積み重ね、左右方向に並ぶブロック間や上下方向に並ぶブロック間に鉄筋を配して形成された壁体である。なお、門柱１は、ブロックがむき出しのものであってもよいし、表面全体に、モルタルや塗料の塗布等の仕上げ施工がなされたものであってもよい。
【００１８】
第一郵便受け２は、投函口２０を有する口枠と、前面が投函口２０に連通し後面に取出し口を有する本体２１と、前記取出し口を開閉する蓋２２と、蓋２２を本体２１に対して固定または固定解除する錠２３とを備える。
【００１９】
第一郵便受け２は、例えば、門柱１を形成する際に、一部のブロックの代わりに、本体２１を積み重ねることによって、門柱１に埋め込まれる。この場合、門柱１のうち第一郵便受け２が配される箇所が、門柱１が有する取付孔１０である。第一郵便受け２の本体２１と、その上下左右に隣接するブロックとの間にはそれぞれ、モルタル等の目地材４が充填される。第一郵便受け２の本体２１は、隣接する各ブロックに対して硬化した目地材４によって固定されている。言い換えると、第一郵便受け２は、本体２１が硬化した目地材４を介して取付孔１０内に固定されて、設置されている。以下、この目地材４を第一目地材４と記載する。
【００２０】
第一郵便受け２は、ブロックのサイズに対応している。本実施形態の第一郵便受け２は、上下に重ね合わせたブロック２つ分のサイズに対応している。このブロック２つ分のサイズには、ブロック２つの間に位置する目地材の厚みも含まれる。ブロック１つのサイズは、例えば、上下長さが１９０ｍｍであり、左右幅が３９０ｍｍである。また、ブロック２つの間に位置する目地材の厚み（上下長さ）は、例えば、１０ｍｍである。この場合、第一郵便受け２は、本体２１の上下長さＬ１が３９０ｍｍであり、本体２１の左右幅Ｌ２が３９０ｍｍである。また、第一郵便受け２の口枠の左右幅は、本体２１の左右幅Ｌ２と略同じであり、３９０ｍｍである。なお、第一郵便受け２は、ブロック１つのサイズに対応したものであってもよく、この場合、本体２１の上下長さＬ１が１９０ｍｍであり、本体２１の左右幅Ｌ２が３９０ｍｍである。
【００２１】
ブロック１つの前後長さは、例えば、１００ｍｍや１２０ｍｍや１５０ｍｍである。第一郵便受け２の本体２１の前後長さは、ブロックの前後長さよりも長いが、特に限定されない。
【００２２】
第一郵便受け２は、例えば、口枠が門柱１の前面よりも前方に突出し、本体２１の前寄りの部分が第一目地材４を介して門柱１の取付孔１０内に配され、本体２１の他の部分が門柱１の後面よりも後方に突出するように、門柱１の取付孔１０内に取り付けられる。
【００２３】
なお、第一郵便受け２は、一部に空所（つまり取付孔１０）が形成されるようにブロックを積み重ねて壁体を形成した後で、取付孔１０内に挿入し、取付孔１０と第一郵便受け２との間に充填される第一目地材４によって取付孔１０に固定されるようにしてもよい。
【００２４】
また、門柱１は、ブロックを積み重ねて形成されるものに限らない。例えば、門柱１は、一部に空所（つまり取付孔１０）が形成されるように壁状に組んだ鉄筋と、これに流し込んだコンクリートとで形成されるものであってもよい。この場合、第一郵便受け２は、取付孔１０内に配され、取付孔１０の内周面と第一郵便受け２の本体２１との間に充填される第一目地材４によって取付孔１０内に固定される。
【００２５】
第二郵便受け３は、投函口３０を有する口枠３１、前面が投函口３０に連通し後面に取出し口を有する本体３２、前記取出し口を開閉する蓋３３、蓋３３を本体３２に対して固定または固定解除する錠３４、及び本体３２の前面を覆う化粧板３５を備える。第二郵便受け３の本体３２は、第一郵便受け２の本体２１よりも小さな外形である。口枠３１は、上寄りの箇所に投函口３０を有し、投函口３０の上方に照明部３６を有し、投函口３０の下方に表札部３７を有する。表札部３７は、照明部３６によって照らされる。照明部３６は、例えば、長尺な棒状の導光体と、導光体の一端に配されるＬＥＤ等の光源とを有する。なお、照明部３６は、導光体を有さないものであってもよく、左右方向に並ぶ複数のＬＥＤ等の光源を有するものであってもよい。
【００２６】
第二郵便受け３は、正面視にて、第一郵便受け２よりも一回り小さいサイズのものであり、例えば、本体３２の上下長さＬ３が３８５ｍｍであり、本体３２の左右幅Ｌ４が３８５ｍｍである。第二郵便受け３の本体３２の前後長さは、ブロックの前後長さよりも長いが、特に限定されない。第二郵便受け３の本体３２の前後長さは、第一郵便受け２の本体２１の前後長さよりも長くてもよい。また、口枠３１及び化粧板３５の左右幅は、本体３２の左右幅と略同じであり、例えば、３８５ｍｍである。なお、第二郵便受け３は、第一郵便受け２がブロック１つのサイズに対応している場合、例えば、本体３２の上下長さＬ３が１８５ｍｍであり、本体３２の左右幅Ｌ４が３８５ｍｍである。
【００２７】
第二郵便受け３は、第一郵便受け２に代えて、取付孔１０内に目地材５を介して固定される。以下では、この目地材５を第二目地材５と記載する。第二目地材５は、樹脂製のコーキング剤等である。
【００２８】
続いて、本実施形態の郵便受けの交換方法について詳しく説明する。
【００２９】
まず、図１Ａ及び図１Ｂに示すように、門柱１が有する取付孔１０内に第一目地材４を介して固定されて設置されている第一郵便受け２を、取付孔１０から取り外す。このとき、例えば、第一郵便受け２を前方または後方からハンマーで叩く等して、第一郵便受け２を取付孔１０から取り外す。本実施形態の交換方法では、この取り外しの際に、取付孔１０内に第一目地材４を枠状に残す。ここで、枠状とは、周方向に連続した形状に限らず、周方向の一部が非連続となった形状も含む。つまり、本実施形態の交換方法では、第一郵便受け２を取付孔１０から取り外す際に、取付孔１０の内周面に付着して残る第一目地材４を、ヘラ等を用いて取り除かずに、そのままにしておく。
【００３０】
次いで、図１Ｃに示すように、枠状の第一目地材４の内側に、第一郵便受け２よりも小さな第二郵便受け３を挿入する。このとき、第三郵便受け３は、化粧板３５の前面が門柱１の前面と略面一となり、本体３２の一部が門柱１の後面よりも後方に突出するように、取付孔１０内に前側または後ろ側から挿入する。ここで、第二郵便受け３は、第一郵便受け２よりも小さいため、取付孔１０の内周面に残る第一目地材４に当たりにくく、外周面が傷付きにくい。つまり、口枠３１の上面や左右の面、化粧板３５の下面や左右の面、本体３２の上下の面や左右の面が傷付きにくい。
【００３１】
次いで、図１Ｄに示すように、枠状の第一目地材４と第二郵便受け３の本体３２との間に第二目地材５を充填する。これにより、枠状に残した第一目地材４と第二目地材５を介して、取付孔１０内に第二郵便受け３の本体３２が取り付けられる。図２Ｂには、上述の交換方法で交換した第二郵便受け３付きの門柱１が示されている。
【００３２】
以上のように交換を行う本実施形態の郵便受けの交換方法では、取付孔１０の内周面に残った第一目地材４を取り除くといった難しい施工を省略することができて、門柱１に埋め込まれた既設の郵便受け（第一郵便受け２）の交換を簡単に行うことができる。また、本実施形態の郵便受けの交換方法では、第二郵便受け３を外周面に傷が付かない状態で、門柱１の取付孔１０内に取り付けやすくなっている。
【００３３】
続いて、図３Ａ〜Ｄに示す本発明の第二実施形態の郵便受けの交換方法について説明する。以下では、本実施形態の郵便受けの交換方法の各構成について、上述した第一実施形態の郵便受けの交換方法で説明した各構成と同じ構成には図中に同じ符号を付けて、詳しい説明を省略する。
【００３４】
本実施形態の郵便受けの交換方法では、枠状の第一目地材４と第二郵便受け３との間に配される施工枠６を更に用いる。言い換えると、本実施形態の第二郵便受け３は、本体３２の周囲を覆うように取り付けられる施工枠６を更に備える。
【００３５】
施工枠６は、本実施形態では、図４Ａ〜Ｃに示すように、正面視矩形状である。施工枠６は、第二郵便受け３の本体３２の外形に対応した形状であり、本体３２の前寄りの部分の外周面に全周に亘って当たる。施工枠６の上下長さは、本体３２の上下長さよりも若干長く、施工枠６の左右幅は、本体３２の左右幅よりも若干長い。施工枠６の前後長さは、門柱１の前後長さよりも短い。施工枠６は、本体３２の外周面に取り付けられた状態で、第二郵便受け３の本体３２よりも外側に位置する。言い換えると、施工枠６付きの第二郵便受け３では、施工枠６が最も外周側に位置する。
【００３６】
本実施形態では、施工枠６は、第一施工枠７と第二施工枠８の２部材で構成される。施工枠６は、第一施工枠７と第二施工枠８との重ね代を調整することによって、前後長さを変えることができる。
【００３７】
第一施工枠７は、正面視矩形枠状に配される４つの第一板体７０と、この４つの第一板体７０の端部同士を連結する４つの正面視Ｌ字状の連結具９とで構成される。第一板体７０は、例えば樹脂製であり、連結具９は例えば金属製である。第一板体７０は、長手方向に亘って一様の断面形状を有するものであり、図４Ｃに示す断面形状を有する。第一板体７０は、表面の前後方向の中央部に、連結具９を収めるための凹部７１を有し、裏面の前後の端部にそれぞれ段部７２，７３を有する。段部７２、凹部７１、及び段部７３は、この順に前後に並んで位置する。段部７２、凹部７１、及び段部７３は、第一板体７０の厚み方向に重ならない位置に設けられる。段部７３は、第二施工枠８と重なる部位である。第一板体７０は、裏面のうち前後の段部７２，７３間の部分が第二郵便受け３の本体３２の外周面に当てて配される。
【００３８】
正面視Ｌ字状の連結具９は、矩形板状の第一連結板９０と、第一連結板９０の端部に垂直に連続する矩形板状の第二連結板９１とで構成される。第一連結板９０と第二連結板９１にはそれぞれ、ねじ等の固定具を打ち込むための固定孔９２が設けられている。
【００３９】
連結具９は、連結板９０，９１がそれぞれ、正面視Ｌ字状に配置された２つの第一板体７０の端部の凹部７１内に収められ、連結板９０，９１の固定孔９２にそれぞれ固定具が打ち込まれることによって、２つの第一板体７０を正面視Ｌ字状に連結する。
【００４０】
第二施工枠８は、正面視矩形枠状に配される４つの第二板体８０と、この４つの第二板体８０の端部同士を連結する４つの正面視Ｌ字状の連結具９とで構成される。第二板体８０は、例えば樹脂製である。第二板体８０は、長手方向に亘って一様の断面形状を有するものであり、図４Ｃに示す断面形状を有する。第二板体８０は、表面の前端部に段部８１を有し、裏面の後端部に段部８２を有する。また、第二板体８０は、表面の後寄りの部分に、連結具９の連結板９０，９１を収めるための凹部８３を有し、裏面の前寄りの部分に、凹溝８４を有する。段部８１、凹溝８４、凹部８３、及び段部８２は、この順に前後に並んで位置する。段部８１、凹溝８４、凹部８３、及び段部８２は、第二板体８０の厚み方向に重ならない位置に設けられる。前側の段部８１が、第一施工枠７と重なる部位である。第二板体８０は、裏面のうち凹溝８４よりも前側の部分と、凹溝８４と段部８２の間の部分が第二郵便受け３の本体３２の外周面に当てて配される。
【００４１】
連結具９は、連結板９０，９１がそれぞれ、正面視Ｌ字状に配置された２つの第二板体８０の端部の凹部８３内に収められ、連結板９０，９１にそれぞれ固定具が打ち込まれることによって、２つの第二板体８０を正面視Ｌ字状に連結する。
【００４２】
施工枠６は、第一施工枠７の段部７３が形成された後端部と、第二施工枠８の段部８１が形成された前端部との重ね代を調整することによって、前後長さを変更することができる。施工枠６は、第一施工枠７と第二施工枠８を重ね合わせた部分を接着剤等で固定することによって、前後長さを固定することができる。施工枠６の前後長さは、門柱１の前後厚みに対応させて、適宜調整する。施工枠６は、上記のような形状とすることで、極力薄くすることができ、第二郵便受け３と枠状の第一目地材４との間の狭い隙間に配置することができる。なお、施工枠６は、樹脂だけで矩形枠状に成形したものであってもよい。この場合、施工枠６は、門柱１の前後厚みに対応した前後長さとなるように成形すればよい。
【００４３】
続いて、本実施形態の郵便受けの交換方法について詳しく説明する。
【００４４】
まず、図３Ａ及び図３Ｂに示すように、門柱１が有する取付孔１０内に第一目地材４を介して固定されている第一郵便受け２を、ハンマー等を用いて取付孔１０から取り外す。本実施形態の交換方法では、この取り外しの際に、取付孔１０内に第一目地材４を枠状に残す。つまり、取付孔１０の内周面に付着して残る第一目地材４を、ヘラ等を用いて取り除かずに、そのままにしておく。
【００４５】
次いで、図３Ｃに示すように、枠状の第一目地材４の内側に、第二郵便受け３を挿入する際に、枠状の第一目地材４と第二郵便受け３との間に位置するように施工枠６を配する。本実施形態では、図４Ａに示すように、第二郵便受け３の本体３２の前端部の外周面の周囲を覆うように施工枠６を取り付けた状態で、第二郵便受け３を枠状の第一目地材４の内側に挿入する。このとき、第二郵便受け３は、施工枠６が緩衝材として機能するため、取付孔１０の内周面に残る第一目地材４に当たりにくく、外周面が傷つきにくい。つまり、口枠３１の上面や左右の面、化粧板３５の下面や左右の面、本体３２の上下の面や左右の面が傷付きにくい。
【００４６】
次いで、図３Ｄに示すように、枠状の第一目地材４とこれに対向する第二郵便受け３の本体３２との間に、前側と後側からそれぞれ第二目地材５を充填する。これにより、枠状に残した第一目地材４と第二目地材５と施工枠６を介して、取付孔１０内に第二郵便受け３の本体３２が取り付けられる。このとき、施工枠６は、その前後に充填された第二目地材５によって隠されて、外部に露出されないようになる。また、このとき、施工枠６は第二目地材５によって枠状の第一目地材４に固定される。
【００４７】
以上のように交換を行う本実施形態の郵便受けの交換方法では、取付孔１０の内周面に残った第一目地材４を取り除くといった難しい施工を省略することができて、門柱１に埋め込まれた既設の郵便受け（第一郵便受け２）の交換を簡単に行うことができる。
【００４８】
また、本実施形態の郵便受けの交換方法によって形成された第二郵便受け３付きの門柱１では、第二郵便受け３を取付孔１０から取り外す際に、取付孔１０の内側に施工枠６を残すことができる。そのため、本実施形態の郵便受けの交換方法によって形成された第二郵便受け３付きの門柱１では、第二郵便受け３を更に新たな郵便受けに交換する際に、施工枠６内に新たな郵便受けを嵌め込んで取り付けることができ、簡単に交換することができる。また、この際、新たな郵便受けは、硬化した第一目地材４と接触しないため、外周面が傷付きにくい。
【００４９】
なお、上述の交換方法では、第二郵便受け３に施工枠６を取り付けた状態で、第二郵便受け３を枠状の第一目地材４の内側に挿入する例について説明したが、施工枠６を枠状の第一目地材４の内側に設置した後、施工枠６の内側に第二郵便受け３を挿入してもよい。この場合、その後で、第二郵便受け３の本体３２と枠状の第一目地材４との間に第二目地材５を充填して、第二郵便受け３の本体３２と施工枠６を枠状の第一目地材４に固定すればよい。このようにした場合、第二郵便受け３を取付孔１０内に挿入する際に、枠状の第一目地材４と第二郵便受け３が接触することを更に抑制でき、第二郵便受け３の外周面が傷付くことを抑制できる。
【００５０】
以上まとめると、本発明の実施形態の郵便受け３は、第一及び第二実施形態の郵便受け３のように、下記の構成を備えることを特徴とする。
【００５１】
すなわち、本発明の実施形態の郵便受け３は、門柱１の取付孔１０内に第一目地材４を介して設置された既設の郵便受け２に代えて、取付孔１０内に取り付けられる郵便受け３である。本発明の実施形態の郵便受け３は、既設の郵便受け２よりも小さな外形の本体３２を備える。本発明の実施形態の郵便受け３は、取付孔１０内から既設の郵便受け２を取り外す際に取付孔１０内に枠状に残した第一目地材４の内側に、第二目地材５を介して本体３２が取り付けられるものである。
【００５２】
このような構成とすることで、本発明の実施形態の郵便受け３は、取付孔１０の内側に残った第一目地材４を取り除くといった難しい施工を省略でき、門柱１の取付孔１０内の既設の郵便受け２と簡単に交換することができる。また、本実施形態の郵便受け３は、既設の郵便受け２よりも小さな外形の本体３２を備えるため、取付孔１０内へ挿入する際に本体３２が第一目地材４に接触しにくく、本体３２の外周面が傷付きにくい。
【００５３】
また、本発明の実施形態の郵便受け３は、第二実施形態の郵便受け３のように、上記の構成に加えて、更に下記の構成を有することが好ましい。
【００５４】
すなわち、本発明の実施形態の郵便受け３は、本体３２の周囲を覆うように取り付けられる施工枠６を更に備え、枠状に残した第一目地材４の内側に、施工枠６と第二目地材５とを介して本体３２が取り付けられるものであることが好ましい。
【００５５】
このような構成とすることで、本発明の実施形態の郵便受け３は、取付孔１０内への挿入の際に施工枠６が緩衝材として機能して、本体３２が第一目地材４に接触しにくく、本体３２の外周面が更に傷付きにくい。
【００５６】
また、本発明の実施形態の郵便受け付き門柱は、第一及び第二実施形態の郵便受け付き門柱のように、下記の構成を備えることを特徴とする。
【００５７】
すなわち、本発明の実施形態の郵便受け付き門柱は、取付孔１０を有する門柱１と、取付孔１０内に位置する枠状の第一目地材４とを備える。第一目地材４は、取付孔１０内から郵便受け２を取り外す際に枠状に残したものである。枠状の第一目地材４の内側には、第二目地材５を介して、郵便受け２よりも小さな他の郵便受け３が位置する。他の郵便受け３は、枠状に残した第一目地材４と第二目地材５を介して、取付孔１０内に取り付けられている。
【００５８】
このような構成とすることで、本発明の実施形態の郵便受け付き門柱は、以下のように施工して形成することができる。すなわち、本発明の実施形態の郵便受け付き門柱は、取付孔１０内から郵便受け２を取り外す際に第一目地材４を枠状に残し、枠状の第一目地材４の内側に他の郵便受け３を挿入し、枠状の第一目地材４と他の郵便受け３との間に第二目地材５を充填して形成できる。このように本発明の実施形態の郵便受け付き門柱は、取付孔１０の内周面に残った第一目地材４を取り除くといった難しい施工を省略して形成することができ、門柱１の既設の郵便受け２を他の郵便受け３に簡単に交換して形成することができる。また、本発明の実施形態の郵便受け付き門柱は、枠状の第一目地材４の内側に、郵便受け２よりも小さな郵便受け３を挿入して形成できるため、この挿入の際に郵便受け３が第一目地材４に接触しにくく、郵便受け３の外周面が傷付きにくいものとなっている。
【００５９】
また、本発明の実施形態の郵便受け付き門柱は、第二実施形態の郵便受け付き門柱のように、上記の構成に加えて、更に下記の構成を有することが好ましい。
【００６０】
すなわち、本発明の実施形態の郵便受け付き門柱は、枠状の第一目地材４と他の郵便受け３との間には、更に施工枠６が位置し、他の郵便受け３は、枠状に残した第一目地材４と施工枠６と第二目地材５を介して、取付孔１０内に取り付けられていることが好ましい。
【００６１】
このような構成とすることで、本発明の実施形態の郵便受け付き門柱は、以下のようにして施工して形成することができる。すなわち、本発明の実施形態の郵便受け付き門柱は、枠状の第一目地材４の内側に、施工枠６を介して他の郵便受け３を挿入して形成できる。そのため、本発明の実施形態の郵便受け付き門柱は、この挿入の際に施工枠６が緩衝材として機能し、郵便受け３が第一目地材４に更に接触しにくく、郵便受け３の外周面が更に傷付きにくいものとなっている。
【００６２】
また、本発明の実施形態の郵便受けの交換方法は、第一及び第二実施形態の郵便受けの交換方法のように、下記の構成を備えることを特徴とする。
【００６３】
すなわち、本発明の実施形態の郵便受けの交換方法は、以下のようにして郵便受けを交換することを特徴とする。まず、門柱１が有する取付孔１０内に第一目地材４を介して固定されている郵便受け２を、取付孔１０から取り外し、この取り外しの際に、取付孔１０内に第一目地材４を枠状に残す。次いで、枠状の第一目地材４の内側に、郵便受け２よりも小さな他の郵便受け３を挿入し、第一目地材４と他の郵便受け３との間に第二目地材５を充填し、枠状に残した第一目地材４と第二目地材５を介して、取付孔１０内に他の郵便受け３を取り付ける。
【００６４】
以上のように本発明の実施形態の郵便受けの交換方法では、取付孔１０内から郵便受け２を取り外す際に第一目地材４を枠状に残し、枠状の第一目地材４の内側に、他の郵便受け３を挿入し、枠状の第一目地材４と他の郵便受け３との間に第二目地材５を充填する。これにより、本発明の実施形態の郵便受けの交換方法では、取付孔１０の内周面に残った第一目地材４を取り除くといった難しい施工を省略することができ、門柱１の既設の郵便受け２を他の郵便受け３に簡単に交換することができる。また、本発明の実施形態の郵便受けの交換方法では、枠状の第一目地材４の内側に、郵便受け２よりも小さな郵便受け３を挿入するため、この挿入の際に郵便受け３が第一目地材４に接触しにくく、郵便受け３の外周面が傷付くことを抑制できる。
【００６５】
また、本発明の実施形態の郵便受けの交換方法は、第二実施形態の郵便受けの交換方法のように、下記の構成を備えることが好ましい。
【００６６】
すなわち、本発明の実施形態の郵便受けの交換方法では、枠状の第一目地材４の内側に他の郵便受け３を挿入する際に、枠状の第一目地材４と他の郵便受け３との間に位置するように施工枠６を配することが好ましい。そして、本発明の実施形態の郵便受けの交換方法では、枠状に残した第一目地材４と施工枠６と第二目地材５を介して、取付孔１０内に他の郵便受け３を取り付ける。
【００６７】
以上のように本発明の実施形態の郵便受けの交換方法では、枠状の第一目地材４の内側に、施工枠６を介して他の郵便受け３を挿入する。そのため、本発明の実施形態の郵便受けの交換方法では、この挿入の際に施工枠６が緩衝材として機能して、郵便受け３が第一目地材４に接触しにくくて、郵便受け３の外周面が更に傷付きにくくすることができる。
【００６８】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６９】
１      門柱
２      郵便受け（第一郵便受け）
３      郵便受け（第二郵便受け）
４      第一目地材
５      第二目地材
６      施工枠
１０    取付孔
３２    本体
【図１】
2016067656.tif 000003
【図２】
2016067656.tif 000004
【図３】
2016067656.tif 000005
【図４】
2016067656.tif 000006